(57)【要約】【課題】  本発明は、幼児がトイレで排泄する際、大人のようにズボン等や、パンツを膝まで下げた状態で便器に座らせると、ズボン等やパンツが便器に触れ不衛生なため、ズボン等やパンツを全て脱がせていたが、全て脱がせなくても済むように工夫し、ズボン等やパンツを片足のみ脱がせ、脱がせたズボン等を反対側の足に巻きつけてとめることができる幼児のトイレ時にズボン等をとめるための用具を提供する。【解決手段】  伸縮性のある帯状の布、または、ゴム帯から成る本体（１）の左端（２）の先端に、クリップ（３）を取り付け、本体（１）の左端（２）の側面（裏側）に、対であるマジックテープ（４ａ）（登録商標）の片方を取り付け、本体（１）の右端（５）に、マジックテープ（４ａ）の対となるマジックテープ（６ａ）を取り付けるための土台（７）を取り付け、土台（７）の側面（表側）に、マジックテープ（４ａ）の対となるマジックテープ（６ａ）を取り付けたことを特徴とする幼児のトイレ時にズボン等をとめるための用具。【選択図】図１
2013072169.tif 000002
【特許請求の範囲】
【請求項１】
伸縮性のある帯状の布、または、ゴム帯から成る本体（１）の左端（２）の先端に、クリップ（３）を取り付け、本体（１）の左端（２）の側面（裏側）に、対であるマジックテープ（４ａ）（登録商標）の片方を取り付け、本体（１）の右端（５）に、マジックテープ（４ａ）の対となるマジックテープ（６ａ）を取り付けるための土台（７）を取り付け、土台（７）の側面（表側）に、マジックテープ（４ａ）の対となるマジックテープ（６ａ）を取り付けたことを特徴とする幼児のトイレ時にズボン等をとめるための用具。
【請求項２】
マジックテープ（４ａ）、マジックテープ（６ａ）がホック（４ｂ）、ホック（６ｂ）である請求項１の幼児のトイレ時にズボン等をとめるための用具。
【発明の詳細な説明】
【技術分野】
【０００１】  本発明は、幼児がトイレで排泄する際、大人のようにズボン等や、パンツを膝まで下げた状態で便器に座らせると、ズボン等やパンツが便器に触れ不衛生なため、ズボン等やパンツを全て脱がせていたが、全て脱がせなくても済むように工夫し、ズボン等やパンツを片足のみ脱がせ、脱がせたズボン等を反対側の足に巻きつけてとめることができる幼児のトイレ時にズボン等をとめるための用具に関するものである。
【背景技術】
【０００２】  従来、幼児がトイレで排泄する際（とくに、外出先）、足が短く、大人のようにズボン等やパンツを膝まで下げた状態で便器に座らせると、ズボン等やパンツが便器に触れ、不衛生であるため、親は、ズボン等もパンツも全て脱がせ、排泄させるのが一般的であった。
ズボン等を全て脱がせるのが負担になっていた。
ズボン等が手元から落ちて、床につくことがあった。
また、ズボン等やパンツが、便器に触れることがあったので、不衛生的であった。
【発明の概要】
【発明が解決しようとする課題】
【０００３】  これは次のような欠点があった。【０００４】  ズボン等やパンツを脱がせる際、まず、片足（たとえば、右足から）の靴を脱がせ、その右足を浮かせた状態で右足のズボン等やパンツを脱がせ、右足の靴を履かせる。
そして、脱がせた右足のズボン等の裾が床に付かないように持ち、左足の靴を脱がせ、またその足を浮かせた状態で左足のズボン等やパンツを脱がせ、また、靴を履かせる。
この一連の動作が親にも子にも負担であった。
【課題を解決するための手段】
【０００５】  本発明は、この欠点を除くためになされたもので、それを図について説明する。
伸縮性のある帯状の布、または、ゴム帯から成る本体（１）の左端（２）の先端に、クリップ（３）を取り付ける。
本体（１）の左端（２）の側面（裏側）に、対であるマジックテープ（４ａ）（登録商標）の片方を取り付ける。
本体（１）の右端（５）に、マジックテープ（４ａ）の対となるマジックテープ（６ａ）を取り付けるための土台（７）を取り付ける。
土台（７）の側面（表側）に、マジックテープ（４ａ）の対となるマジックテープ（６ａ）を取り付ける。
以上のように構成された幼児のトイレ時にズボン等をとめるための用具。
マジックテープ（４ａ）をホック（４ａ）に、マジックテープ（４ｂ）をホック（４ｂ）にした幼児のトイレ時にズボン等をとめるための用具。
【発明の効果】
【０００６】  本発明の用具を用いることにより、幼児がトイレで排泄する際、ズボン等やパンツを片足のみ脱がせ、脱がせたズボン等を反対側の足に巻きつけてとめることができ、ズボン等を全て脱がせるという負担を除くことができる。
ズボン等の裾をクリップでとめることにより、ズボン等が手元から落ちて、床につくことを防げる。
また、ズボン等やパンツが、便器に触れることもなくなるので、衛生的である。
【図面の簡単な説明】
【０００７】
【図１】  本発明の正面図である
【図２】  本発明の背面図である
【図３】  本発明の正面図である
【図４】  本発明の背面図である
【発明を実施するための形態】
【０００８】  以下、本発明の実施の形態について図１、図２にもとづいて説明する。
本発明は、この欠点を除くためになされたもので、それを図について説明する。
伸縮性のある帯状の布、または、ゴム帯から成る本体（１）の左端（２）の先端に、クリップ（３）を取り付ける。
本体（１）の左端（２）の側面（裏側）に、対であるマジックテープ（４ａ）（登録商標）の片方を取り付ける。
本体（１）の右端（５）に、マジックテープ（４ａ）の対となるマジックテープ（６ａ）を取り付けるための土台（７）を取り付ける。
土台（７）の側面（表側）に、マジックテープ（４ａ）の対となるマジックテープ（６ａ）を取り付ける。
以上のように構成された幼児のトイレ時にズボン等をとめるための用具である。
マジックテープ（４ａ）をホック（４ａ）に、マジックテープ（４ｂ）をホック（４ｂ）にした幼児のトイレ時にズボン等をとめるための用具である。
土台（７）の形等や、本体（１）の図柄や素材は限定的ではなく、デザイン性を向上させるため、動物や各種キャラクター等、幼児の興味をそそるものにすることが望ましい。
【実施例】
【０００９】  本発明は以上のような構造である。
これを使用するときは、幼児がトイレで排泄する際、片足の靴を脱がせ、その片足を浮かせた状態でズボン等やパンツを脱がせ、脱がせた方の足の靴を履かせる。
片足分の脱がせたパンツはズボン等の中にしまい、脱がせたズボン等の裾の布地にクリップ（３）を挟み、土台（７）を持って、脱がせていない反対側の足にズボン等と共にくるくると巻きつけ、マジックテープ（４ａ）に土台（７）の側面にあるマジックテープ（６ａ）をとめる。
これで、ズボン等が片足にまとまってとめられ、全て脱がせるという負担を除くことができる。
また、土台（７）や本体（１）を、幼児の興味をそそる、動物や各種キャラクター等にすることによって、子も喜び、親もファッション性という観点からも携帯しやすく、取り出しやすいように、鞄などの外側にとめて付けておいても見た目を損なうことがない。
【符号の説明】
【００１０】１  本体
２  左端
３  クリップ
４ａ  マジックテープ（登録商標）
４ｂ  ホック
５  右端
６ａ  マジックテープ
６ｂ  ホック
７  土台
【図１】
2013072169.tif 000003
【図２】
2013072169.tif 000004
【図３】
2013072169.tif 000005
【図４】
2013072169.tif 000006